(57)【要約】【課題】ビデオカセットをディスクにダビングする時間および手間を抑えることができる複合装置を提供する。【解決手段】ビデオカセット４０を再生するビデオカセットドライブ４と、ビデオカセットドライブ４の出力信号を処理する信号処理部５と、信号処理部５の出力信号である映像音声信号５１、インデックス信号５２を記録するＨＤＤ６を備える。ＨＤＤ６は、ユーザ使用領域６０の他に自動バックアップ領域７１を備える。ビデオカセット４０の再生のみ指示されたときは、制御部８は、インデックス信号５２が出力された間の区間に区分して、区間データ７１１〜７１Ｎが記録する。ビデオカセット４０からＨＤＤ６へのダビングの指示がされたときは、ビデオカセット４０ですでに再生した区間データ７１１〜７１Ｎがあれば、これをユーザ使用領域６０にロードすると共に、その区間についてはビデオカセット４０を早送りしてスキップする。【選択図】図１
2007280480.tif 000002
【特許請求の範囲】
【請求項１】
ビデオカセットに記録されている映像信号を読み取り、出力するビデオカセットドライブと、記録媒体の任意のアドレスにランダムアクセスして前記映像信号を記録する記録部と、これらを制御する制御手段と、を備えた複合装置において、
前記記録部は、その記録媒体の記録領域として、前記ビデオカセットに記録されている映像信号を前記記録媒体に記録する旨のダビング指示を受けて前記映像信号を記録するユーザ使用領域と、前記ダビング指示を受けずに前記ビデオカセットドライブにより前記映像信号が再生されているときに前記映像信号を自動的に記録するバックアップ領域を有し、
前記制御部は、
前記映像信号を前記バックアップ領域に記録する場合に、前記映像信号を、予め定めたタイミングで映像信号の時間軸の区間毎に分割して前記記録媒体に記録すると共に、その区間の特性情報である区間情報をあわせて前記記録部に記録する分割記録手段と、
前記ダビング指示を受けた場合に、前記バックアップ領域に記録された前記区間情報を参照して、前記ビデオカセットが出力している映像信号と、前記バックアップ領域に記録されている映像信号と、が対応する区間を検出するバックアップ記録データ検出手段と、
前記ダビング指示を受けた場合に、バックアップ記録データ検出手段が前記対応する区間を検出したときには、前記バックアップ領域のデータを前記ユーザ使用領域にロードさせると共に、この区間について前記ビデオカセットを早送りする制御を行うダビングスキップ制御手段と、
前記ビデオカセットを再生した場合には、この再生したビデオカセットに関係する前記バックアップ領域に記録した映像信号の記録時期を更新する記録時期更新手段と、
前記バックアップ領域がいっぱいになった場合に新たに前記バックアップ領域に前記映像信号を記録するときには、前記記録時期が最も古いものから順に、前記映像信号を削除するバックアップ領域整理手段と、
前記ユーザ使用領域がいっぱいになった場合には、前記バックアップ領域整理手段により前記バックアップ領域を縮小するバックアップ領域縮小手段と
前記ビデオカセットドライブは、前記ビデオカセットのケース表面にビデオカセットの特性情報およびビデオカセット上の再生位置の情報を記録し、これらの情報を更新すると共に、これらの情報を読み取る、ビデオカセット特性アクセス手段と、
前記記録部に記録された映像の各種操作を誘導する誘導表示を、前記映像を表示する表示器に出力する項目表示手段と、を有し、
前記バックアップ記録データ検出手段は、前記ビデオカセットの特性情報、再生位置の情報と、区間情報と、を参照し、
前記項目表示手段は、前記バックアップ領域に記録された映像信号の項目を前記誘導表示に表示しない複合装置。
【請求項２】
ビデオカセットに記録されている映像信号を読み取り、出力するビデオカセットドライブと、記録媒体の任意のアドレスにランダムアクセスして前記映像信号を記録する記録部と、これらを制御する制御手段と、を備えた複合装置において、
前記記録部は、その記録媒体の記録領域として、前記ビデオカセットに記録されている映像信号を前記記録媒体に記録する旨のダビング指示を受けて前記映像信号を記録するユーザ使用領域と、前記ダビング指示を受けずに前記ビデオカセットドライブにより前記映像信号が再生されているときに前記映像信号を自動的に記録するバックアップ領域を有し、
前記制御部は、
前記映像信号を前記バックアップ領域に記録する場合に、前記映像信号を、予め定めたタイミングで映像信号の時間軸の区間毎に分割して前記記録媒体に記録すると共に、その区間の特性情報である区間情報をあわせて前記記録部に記録する分割記録手段と、
前記ダビング指示を受けた場合に、前記バックアップ領域に記録された前記区間情報を参照して、前記ビデオカセットが出力している映像信号と、前記バックアップ領域に記録されている映像信号と、が対応する区間を検出するバックアップ記録データ検出手段と、
前記ダビング指示を受けた場合に、バックアップ記録データ検出手段が前記対応する区間を検出したときには、前記バックアップ領域のデータを前記ユーザ使用領域にロードさせると共に、この区間について前記ビデオカセットを早送りする制御を行うダビングスキップ制御手段と、を有する複合装置。
【請求項３】
前記制御部は、
前記ビデオカセットを再生した場合には、この再生したビデオカセットに関係する前記バックアップ領域に記録した映像信号の記録時期を更新する記録時期更新手段と、
前記バックアップ領域がいっぱいになった場合に新たに前記バックアップ領域に前記映像信号を記録するときには、前記記録時期が最も古いものから順に、前記映像信号を削除するバックアップ領域整理手段と、
前記ユーザ使用領域がいっぱいになった場合には、前記バックアップ領域整理手段により前記バックアップ領域を縮小するバックアップ領域縮小手段と、を有する請求項２に記載の複合装置。
【請求項４】
前記ビデオカセットドライブは、前記ビデオカセットのケース表面にビデオカセットの特性情報およびビデオカセット上の再生位置の情報を記録し、これらの情報を更新すると共に、これらの情報を読み取る、ビデオカセット特性アクセス手段を有し、
前記バックアップ記録データ検出手段は、前記ビデオカセットの特性情報、再生位置の情報と、区間情報と、を参照する請求項２または請求項３のいずれかに記載の複合装置。
【請求項５】
前記制御部は、前記記録部に記録された映像の各種操作を誘導する誘導表示を、前記映像を表示する表示器に出力する項目表示手段を備え、
前記項目表示手段は、前記バックアップ領域に記録された映像信号の項目を前記誘導表示に表示しない請求項２〜４のいずれかに記載の複合装置。
【発明の詳細な説明】
【技術分野】
【０００１】
本発明は、ビデオカセットに録画された映像を再生すると共に、この再生された映像信号をランダムアクセス可能な記録媒体へダビングする複合装置に関する。
【背景技術】
【０００２】
従来、ＶＨＳ方式のビデオカセットに記録されている映像信号を再生することができるビデオカセットドライブ、および光ディスク等のランダムアクセス可能な記録媒体に対して、映像信号の記録／再生を行うディスクドライブを備えた複合装置があった。一般的な複合装置は、ビデオカセットに記録されている映像信号をランダムアクセス可能な記録媒体にダビングするダビング機能を有している。また、このダビングにかかる操作を簡単にするための提案もなされている（特許文献１参照。）。
【０００３】
特許文献１では、記録媒体に対して記録および再生を行う記録／再生手段を２つ備え、一方の記録再生手段が対応する記録媒体に記録されている映像の再生中にダビング指示を受け付けると、他方の記録／再生手段が一方の記録／再生手段において再生されている映像を対応する記録媒体にダビングする複合装置が開示されている。これにより、ダビング時に、再生する記録媒体と録画する記録媒体を選択する必要がない。
【特許文献１】特開２００５−１９１９３１号公報
【発明の開示】
【発明が解決しようとする課題】
【０００４】
しかしながら、従来の装置ではダビングの指示を受けない限り録画されないから、以前にビデオカセットを再生していても、ディスクにダビングをするために改めてこの複合装置でダビングしなければならない問題があった。
【０００５】
また、このような複合装置のユーザは、ビデオカセットに記録された映像信号を全部ダビングするためには、全部通してダビングするような時間がかかる処理をするしかない問題があった。
【０００６】
このダビングしている間は、この複合装置のビデオカセットドライブ、ディスクドライブいずれも使用中であり、この装置の別の動作（例えば、ビデオカセットの再生や、ディスクドライブを用いた録画など）をほとんど何もすることができない。そこで、ビデオカセットをそのまま再生するだけの方が、手っ取り早く、早送り、早戻し等の操作ができるから、ハードディスクに予めダビングしない方が却って便利である場合も多かった。
【０００７】
このように、ダビング時の利便性がよくない問題があった。この問題から派生する副次的な問題として、せっかくハードディスクによる記録部を備えた複合装置を持っていてもビデオカセットを廃棄できない問題や、このような使用形態ではビデオカセットの映像が劣化していく問題があった。さらに、この処理に時間がかかるダビング操作をユーザが能動的にしない限り、ビデオテープが損傷した場合にはこの損傷したビデオテープを復旧できない問題があった。
【０００８】
このような問題に鑑み、本発明は、ビデオカセットに記録されている映像信号をディスクにダビングする時間および手間を抑えることができる複合装置を提供する。
【課題を解決するための手段】
【０００９】
本発明は、上述の課題を解決するための手段を以下のように構成している。
【００１０】
（１）  ビデオカセットに記録されている映像信号を読み取り、出力するビデオカセットドライブと、記録媒体の任意のアドレスにランダムアクセスして前記映像信号を記録する記録部と、これらを制御する制御手段と、を備えた複合装置において、
前記記録部は、その記録媒体の記録領域として、前記ビデオカセットに記録されている映像信号を前記記録媒体に記録する旨のダビング指示を受けて前記映像信号を記録するユーザ使用領域と、前記ダビング指示を受けずに前記ビデオカセットドライブにより前記映像信号が再生されているときに前記映像信号を自動的に記録するバックアップ領域を有し、
前記制御部は、
前記映像信号を前記バックアップ領域に記録する場合に、前記映像信号を、予め定めたタイミングで映像信号の時間軸の区間毎に分割して前記記録媒体に記録すると共に、その区間の特性情報である区間情報をあわせて前記記録部に記録する分割記録手段と、
前記ダビング指示を受けた場合に、前記バックアップ領域に記録された前記区間情報を参照して、前記ビデオカセットが出力している映像信号と、前記バックアップ領域に記録されている映像信号と、が対応する区間を検出するバックアップ記録データ検出手段と、
前記ダビング指示を受けた場合に、バックアップ記録データ検出手段が前記対応する区間を検出したときには、前記バックアップ領域のデータを前記ユーザ使用領域にロードさせると共に、この区間について前記ビデオカセットを早送りする制御を行うダビングスキップ制御手段と、を有する。
【００１１】
この構成では、記録部はユーザ使用領域とバックアップ領域を有している。前記映像信号を前記ディスクに記録する指示を受けずに前記ビデオカセットドライブにより前記映像信号が再生されているときは、記録部は、前記映像信号をバックアップ領域に自動的に記録するから、一度ビデオカセットドライブで再生すれば、バックアップ領域に記録された状態になる。これにより、ユーザがダビング操作を能動的にしなくとも、ビデオカセットが損傷した場合にはビデオカセットに記録された映像信号を復旧することができる。ビデオカセットのコンテンツを予め全部通してダビングするような時間のかかる処理をしなくとも、一度再生した部分については早送り制御手段がビデオカセットを早送りするのでダビングの時間を短縮できる。
【００１２】
また、前記記録部は、前記映像信号を、区間毎に分割してその区間の特性情報である区間情報と共に記録している。このように区分して記録するので、すでに前記バックアップ領域に記録されている部分をこの区間単位で検出することができる。また、バックアップ記録データ検出手段および制御手段により、ビデオカセットが出力している映像信号と、すでに前記バックアップ領域に記録されている映像信号が対応する区間が検出された場合には、前記バックアップ領域のデータを前記ユーザ使用領域にロードさせることで、ビデオカセットをスキップすることができるのでダビングの時間を短縮できる。したがって、ビデオカセットを記録部にダビングする時間および手間を抑えることができる。
【００１３】
なお、「予め定めたタイミング」とは、例えば、予め定めた時間間隔毎、または音声入力方式がステレオ、モノラル間で変わるとき、または記録部の使用者がビデオカセットの映像信号にインデックスを付したタイミングなどをいう。
また、この構成の記録媒体としては、ランダムアクセス可能であり映像データを記録できる記録媒体であれば、持ち運びできる光ディスク、固体メモリのみならず、ハードディスクも使用することができる。
【００１４】
また、記録部が区間毎に映像信号を区分するタイミングは、ビデオカセットに記録されたインデックス信号や、所定間隔毎、音声入力方式がステレオ、モノラル間で変わる時などを基準にすることができる。さらに、ビデオカセットとの対応付けは、ビデオカセットに記録されたインデックス信号や、ビデオカセットの識別情報と現在の再生位置の情報を記録部に記録したり、後述の（３）で構成したりすることができる。
【００１５】
（２）  前記制御部は、
前記ビデオカセットを再生した場合には、この再生したビデオカセットに関係する前記バックアップ領域に記録した映像信号の記録時期を更新する記録時期更新手段と、
前記バックアップ領域がいっぱいになった場合に新たに前記バックアップ領域に前記映像信号を記録するときには、前記記録時期が最も古いものから順に、前記映像信号を削除するバックアップ領域整理手段と、
前記ユーザ使用領域がいっぱいになった場合には、前記バックアップ領域整理手段により前記バックアップ領域を縮小するバックアップ領域縮小手段と、を有する。
【００１６】
この構成では、記録時期更新手段、バックアップ領域整理手段により、前記バックアップ領域がいっぱいになった場合に、使用されておらず、かつ時期が古いものから順にバックアップ領域を整理することができる。また、前記ユーザ使用領域がいっぱいになった場合には、前記バックアップ領域整理手段により前記バックアップ領域を縮小するので、記録部上の全量をユーザ使用領域として使い切ることができる。
【００１７】
なお、バックアップ領域は、その大きさを動的に変動させ、記録部のうち、ユーザ使用領域を除いた領域全体とすることも可能である。
【００１８】
（３）  前記ビデオカセットドライブは、前記ビデオカセットのケース表面にビデオカセットの特性情報およびビデオカセット上の再生位置の情報を記録し、これらの情報を更新すると共に、これらの情報を読み取る、ビデオカセット特性アクセス手段を有し、
前記バックアップ記録データ検出手段は、前記ビデオカセットの特性情報、再生位置の情報と、区間情報と、を参照する。
【００１９】
この構成では、ビデオカセットの特性情報およびビデオカセット上の再生位置の情報をビデオカセットのケース表面に記録するので、インデックス信号のように予めビデオカセットに記録されている必要がない。また、再生するビデオカセットがこれをマウントした複合装置で記録したものでなければならないといった複合装置間の互換性の問題も回避できる。したがって、他の装置で録画されたビデオカセットでも利用できるから、ビデオカセットドライブがたとえ再生専用であっても使用することができる。また、この構成では、ビデオカセットドライブが、ビデオカセットの特性情報を記録するから、ユーザがビデオカセットを識別するためにわざわざ情報を入力する必要がない。ビデオカセットを取り出して、再度マウントする場合でも同様である。また、ビデオカセットのケース表面にビデオカセット上の再生位置の情報を記録しているので、記録部の再生位置の情報がメモリから消えた場合でも、ビデオカセットを最初に巻き戻してこの再生位置をメモリに記録しなくとも、再生位置の情報を取得できる。
【００２０】
ビデオカセットのケース表面に記録する手段としては、例えば、熱可逆性の染料で何度も記録、消去が可能なバーコードや２次元状に記録したコードを記録したシールや、識別コードシールＩＣタグやカードメモリ等で構成することができる。
【００２１】
（４）  前記制御部は、前記記録部に記録された映像の各種操作を誘導する誘導表示を、前記映像を表示する表示器に出力する項目表示手段を備え、
前記項目表示手段は、前記バックアップ領域に記録された映像信号の項目を前記誘導表示に表示しない。
【００２２】
この構成では、項目表示手段を備え、項目表示手段は、前記バックアップ領域に記録された映像信号の項目を前記誘導表示に表示しない。これにより、前記分割記録部によりユーザが意図せず録画された動画の項目が表立ってこの動画選択画面に表示されてしまったり、整理されていないデータがこの動画選択画面に溜まってしまったりするという使い勝手の悪さを解消できる。
【発明の効果】
【００２３】
本発明によれば、ビデオカセットを記録部にダビングする時間および手間を抑えることができる。
【発明を実施するための最良の形態】
【００２４】
図１を用いて、本実施形態の複合装置の構成について説明する。本実施形態の複合装置は、ビデオ一体型ハードディスクレコーダ（以下、単に「ハードディスクレコーダ」と記す）である。図１は、このハードディスクレコーダのブロック図の一部を抜粋した図である。
【００２５】
ビデオカセットドライブ４はマウントしたＶＨＳ方式のビデオテープ４１に記録されている映像音声信号を読み取る機能を備えており、信号処理部５に映像および音声の信号である映像音声信号４１と、ビデオカセット４０に記録されたインデックス信号４２を出力する。
【００２６】
ビデオカセット４０には、ビデオカセット４０のインデックスとなる複数のインデックス信号が予め定めたタイミングで記録されている。この予め定めたタイミングとは、所定間隔毎、または音声入力方式がステレオ、モノラル間で変わるとき、またはハードディスクレコーダ１のユーザがセット４０のテープの特定の位置にインデックスを付したタイミングである。このインデックス信号がビデオカセット４０に記録されているのは、ビデオカセット４０に記録された映像信号を識別するため、または、ビデオカセット４０上のテープの位置、時刻を識別するためである。
【００２７】
なお、ビデオカセットドライブ４は、ビデオテープ４１に映像音声信号を記録する機能を付加的に備えていても良い。
【００２８】
信号処理部５はＡ／Ｄ変換回路、エンコーダ等を備え、ビデオカセットドライブ４から出力される映像音声信号４１、インデックス信号４２をＡ／Ｄ変換してエンコードし、ハードディスクドライブ６（「ＨＤＤ６」と略す）に対してディジタル化した映像音声信号５１、インデックス信号５２を出力する。また、信号処理部５からは、図示しないテレビモニタへ出力する映像信号、および図示しないスピーカへ出力する音声信号がそれぞれ出力される。また、図示しないチューナで選局されたチャンネルで放映される映像音声信号を処理して、ＨＤＤ６に出力しても良い。
【００２９】
ハードディスクドライブ６は、記録媒体であるハードディスク７（ＨＤ７と略す）にデータを記憶する手段を備え、信号処理部５で出力された映像音声信号５１を記録する。
【００３０】
ＨＤ７は、ユーザが記録、再生可能なユーザ使用領域７０の他に、ユーザが通常の動作では操作できない（例えば、ある設定操作によりロックを解除しない限り操作できない）自動バックアップ領域７１を備えている。
自動バックアップ領域７１には、制御部８の制御により、映像音声信号５１を自動的に記録する。その際、映像音声信号５１は、インデックス信号５２が出力される時刻で区分した区間データ７１１〜７１Ｎ（Ｎは整数）としてバックアップされる。
【００３１】
なお、ＨＤＤ６は、図示しないチューナで選局されたチャンネルで放映される映像音声信号を、信号処理部５を介してＨＤ７に記録してもよい。また、本実施形態の複合装置では、ＨＤＤ６、ＨＤ７を例として記録部を説明したが、ランダムアクセス可能な記録媒体、例えば、光ディスク、固体メモリに記録する記録装置のいずれをも使用することができる。
【００３２】
制御部８はＣＰＵを搭載したマイクロコンピュータから構成されハードディスクレコーダ１全体の制御を行う。操作部９はハードディスクレコーダ１本体のフロントパネルに設けられている。また、操作部９は、ビデオカセット４０とＨＤ７に対して、再生・記録・停止・早送り・早戻し等の各種動作を行わせるためのキーや電源スイッチを備えている。表示部１０は例えば液晶表示部により構成され、ハードディスクレコーダの動作状態や時間等を表示する。記憶部１１は、ＲＯＭ、各種データが一時的に記憶されるＲＡＭ等のメモリから構成され、制御部８に備わるマイコンの動作プログラムや制御パラメータなどが記録されている。
【００３３】
次に、図２のフロー図を用いて、操作部９によりビデオカセット４０の再生が指示されたときに制御部８が行う処理について説明する。
【００３４】
図２のＳ１では、ＨＤ７の未使用領域が残っているのか判断する。この未使用領域が残っている場合には、ＹとなりＳ２に進む。そうでない場合にはＮとなりＳ３に進む。
【００３５】
Ｓ２では、自動バックアップ領域７１の記録開始位置をＨＤ７の未使用領域の中に設定する。その後Ｓ５に進む。
Ｓ３では、自動バックアップ領域７１の使用済み領域が存在するか判断する。自動バックアップ領域７１が使用されていればＹとなり、Ｓ４に進む。自動バックアップ領域７１が使用されていなければＮとなり、Ｓ６に進む。Ｓ３では、ＨＤ７の未使用領域がない場合にＳ１から分岐する処理である。この場合、ユーザの断りなくユーザ領域７０を整理できないから、映像音声信号５１をさらに自動バックアップするには、自動バックアップ領域７１を整理するしかない。そこで、Ｓ３では、この自動バックアップ領域７１の使用済み領域が存在するか判断する。
【００３６】
Ｓ４では、新たにビデオカセット４０から出力されて信号処理部５で処理された映像音声信号５１を優先的にバックアップするため、この自動バックアップ領域７１を整理する。具体的には、この領域の中に記録された区間データ７１１〜７１Ｎのうち、記録された時刻が古いものを消去する。これにより、自動バックアップ領域７１を整理して、ビデオカセット４０を再生時にバックアップするための領域を自動バックアップ領域７１に確保する。
【００３７】
ただし、Ｓ４の処理を行う前に、図２とは別のフローにより、現在マウントされているビデオカセット４０に関係する区間データ７１１〜７１Ｎが記録された時刻をすべて更新しておく。例えば、区間データ７１１〜７１Ｎと共にカセットの識別コードを記録しておき、そのコードが入力された場合には、これに関連する区間データ７１１〜７１Ｎが記録された時刻を更新する。これにより、単に古いだけではＳ４では消去されず、新たに使用されれば記録された時刻が更新されるから、区間データ７１１〜７１Ｎのうち古いだけでなく使用されていない区間データが消去される。
【００３８】
Ｓ５では、Ｓ２で設定し、またはＳ４で整理した自動バックアップ領域７１を用いて、ビデオカセット４０を再生すると共に、ビデオカセット４０から出力され信号処理部５で変換された映像音声信号５１、インデックス信号５２を自動バックアップ領域７１に自動的に記録する。
【００３９】
また、この映像音声信号５１、インデックス信号５２の記録と同時に、自動バックアップ領域７１には、ビデオカセット４０の識別情報と、テープ上の位置情報が記録される。
【００４０】
ただし、このＳ５ではビデオカセット４０が再生されていれば自動バックアップ領域７１に常に映像音声信号５１を記録するのではなく、自動バックアップ領域７１の区間データ７１１〜７１Ｎを参照して、すでに記録されている区間データがある場合には、自動バックアップ領域７１に記録しない。
【００４１】
Ｓ５では、このように自動的にバックアップされるので、再生後ビデオカセットが破損したときでも、すでにビデオカセットを再生した部分については、動画データを取得できる。また、このようにバックアップされる区間データ７１１〜７１Ｎの項目は、前述の通り、通常の使用状態では、テレビモニタ上で動画を選択する動画選択画面には出力されない。これにより、使い勝手の悪さ、例えば、ユーザが意図せず録画された動画の項目が表立ってこの動画選択画面に表示されたり、整理されていないデータがこの動画選択画面に溜まっていき、ユーザ自ら選択した項目が埋もれてしまうというようなことを解消できる。
【００４２】
Ｓ６は、Ｓ１、Ｓ３で判断した結果、ＨＤ７がユーザ使用領域６０で満たされ、ＨＤ７の未使用領域がない場合にＳ３から分岐した処理である。Ｓ６では、ユーザ使用領域６０をユーザが整理しない限りこれ以上の録画をすることができないから、録画時間が限界に達している場合の処理を行う。例えば、「録画スペースがありません。自動バックアップはできません。」という表示や、自動バックアップ領域７１への自動バックアップの禁止、ビデオカセット４０からＨＤ７へのダビングの禁止といった処理を行う。
【００４３】
Ｓ７では、自動バックアップ領域７１にバックアップすることなく、ビデオカセット４０の再生のみを行う。その間、表示部１０または図示しないテレビモニタには前述した「録画スペースがありません。自動バックアップはできません。」といった表示を継続する。
Ｓ８では、ビデオカセット４０の再生が終了したか判断する。ビデオカセット４０の再生が終了した場合にはＹとなり、図２のフローは終了する。ビデオカセット４０の再生が終了していない場合にはＮとなりＳ１に戻り、この再生が終了するまで、Ｓ１〜Ｓ８のフローを繰り返す。
【００４４】
以上では、ユーザ使用領域７０、自動バックアップ領域７１の大きさを可変としていたが、予めこれらの領域の大きさを固定しても良い。この場合には、Ｓ３、Ｓ４の動作を行なわず、Ｓ１のＮの場合に直ちにＳ６に移動する。
【００４５】
次に、図３、図４のフロー図を用いて、操作部９からビデオカセット４０のコンテンツをＨＤ７にダビングする指示を受けた場合に、制御部８が行う処理について説明する。図３のフロー図はこの処理のメインフロー図であり、図４はこの処理のサブフロー図である。この処理は基本的には図２の処理と同じである。図３のＳ１１〜Ｓ１４、Ｓ１６、Ｓ１８の処理はそれぞれ図２のＳ１〜Ｓ４、Ｓ６、Ｓ８の処理に対応している。図３のフローが図２と異なる点はＳ１５、Ｓ１７にあり、この相違点以外は、上述した図２の説明を準用する。
【００４６】
図３のＳ１５では、図２のＳ５と異なり、制御部８は、映像音声信号５１、インデックス信号５２をユーザ使用領域６０に記録する指示をＨＤＤ６に対して行う。前述のＳ３ではこれらの映像音声信号５１、インデックス信号５２を自動バックアップ領域７１に記録する。また、Ｓ１５では、図４のサブフローに分岐する点が異なる。図３のＳ１７では、Ｓ７と異なり、ユーザがユーザ使用領域６０を整理した後でダビングをするのに便利なように、ビデオカセット４０の再生を停止する処理を行う。
【００４７】
図４のサブフローについて説明する。なお、このサブフローの前提として、本実施形態のハードディスクレコーダ１にマウントするビデオカセット４０として、最初にマウントするときには、他の記録部で予めコンテンツが記録されたものを用いても良いが、制御部８は、ビデオカセット４０をその後ビデオカセット４０の内容が他の装置によって書き換えられていないものとして取り扱う。
【００４８】
Ｓ２１で、ビデオカセット４０を再生している映像音声信号４１と対応する自動バックアップ領域７１の区間データ７１１〜７１Ｎがあるかどうか判断する。前述の図２のフロー図で説明した通り、ビデオカセット４０を再生すると、ダビングの指示を受けなくともインデックス信号５２で区切られた区間毎に区分けして区間データ７１１〜７１Ｎが自動的にバックアップされている。したがって、以前ビデオカセット４０を再生した場合であって、Ｓ４の自動バックアップ領域７１の整理時に整理されず残っている場合には、これを自動バックアップ領域７１から合致する区間データ（これを区間データ７１ｋ（ｋは１〜Ｎの整数）とする。）をユーザ使用領域６０へロードすればダビング時間を短縮できる。そこで、Ｓ２１では、ビデオカセット４０のコンテンツの一部と同一の区間データ７１ｋがあるかどうか判断する。区間データ７１１〜７１ＮがあればＹとなり、Ｓ２２に進む。同一の区間データ７ｋがなければＳ２３に進む。
【００４９】
Ｓ２２では、ビデオカセット４０のコンテンツに対応する区間データについては、ビデオカセット４０を早送りしてスキップする。ビデオカセット４０を再生していた場合には、停止して早送りする。また、自動バックアップ領域７１から区間データ７１ｋをユーザ使用領域６０へロードし、このロードした区間データを自動バックアップ領域７１から削除する。その後フローは終了する。Ｓ２２の処理により、ユーザは一度ビデオカセット４０の一部を再生していれば、ビデオカセット４０のコンテンツをＨＤ７にダビングする必要が出た場合に、全部通してダビングする必要がなくなる。また、このダビングをする間、ハードディスクレコーダ１の他の作業をほとんど何もできないといった煩わしさから開放される。
【００５０】
Ｓ２２で、区間データ７１ｋをロードするタイミングの位置合わせは、早送りするビデオカセット４０のテープ位置を区間データ７１ｋよりも例えば１分遅くし、早送りを終了するテープ位置を例えば１分早めることにより行なう。これにより、区間データ７１ｋの前後でダビングするデータと区間データ７１ｋとオーバーラップさせることができる。これらオーバーラップした部分を継ぎ目なく接続するために、制御部８は、映像音声信号５１と区間データ７１ｋの相互相関関数が最大となるような位置合わせを行う。この相互相関関数は、例えば、映像音声信号５１、区間データ７１ｋの離散時間信号列をｚ関数で表したものをａ（ｚ）、ｂ（ｚ）として、これらの信号の位相差τとして、ａ（ｚ）×ｂ（ｚ＋τ）を該当部分の離散時間時間毎に足し算したΣａ（ｚ）×ｂ（ｚ＋τ）を計算することにより行う。
【００５１】
Ｓ２３では、ビデオカセット４０のコンテンツの一部と同一の区間データ７１１〜７１Ｎがなければ、映像音声信号５１、インデックス信号５２をＨＤ７のユーザ使用領域６０に記録する。その後図４のフローは終了する。
【００５２】
なお、以上示した図４のサブフローは、図３のフローの中で繰り返し行なわれる。
【００５３】
また、図３の処理は、チューナ（不図示）で選局されたチャンネルで放映されている映像音声信号をＨＤ７に録画する場合にも用いることができる。ただし、この場合には図４のフローには分岐しない。
【００５４】
次に、図５を用いて、ビデオカセット４０と、ビデオカセット４０の現在のテープ位置を識別するため、以上で説明したようなビデオカセット４０に記録されたインデックス信号とは別の方法による実施例について説明する。図５は、ビデオカセット４０を識別するための識別用コードを貼り付けたビデオカセットの図である。ビデオカセット４０には、その一部にユーザにより識別コードシール４０１が貼り付けられている。識別コードシール４０１は、ロイコ染料などからなる熱可逆性の染料で、バーコードまたは２次元状に記録したコードがプリントされており、何度も記録、消去が可能となっている。ハードディスクレコーダ１は、図示しない読み取り部を備え、識別コードシール４０１の情報を読み取る。識別コードシール４０１には、ビデオカセット４０を他と識別するための識別コード情報と、ビデオカセット４０の現在のテープの位置を表す時刻または区間データ７１に対応する識別コードが記録されている。これらの情報は、初めてビデオカセット４０をマウントするときに記録されると共に、ハードディスクレコーダ１の電源をオフにする前に、ビデオカセット４０の現在のテープ位置の情報が、識別コードシール４０１に、最初に記録されたテープ位置からのオフセット量として記録される。このようにして、ビデオカセット４０の識別コードとビデオカセット４０の現在のテープ位置の情報を識別する。
【００５５】
図３で示したビデオカセット４０からＨＤ７へのダビング処理の指示がされると、制御部８は、図４で示したＳ２１で、区間データ７１に記録された識別コードを参照する。区間データ７１には、ビデオカセット４０に記録した識別コードとビデオカセット４０上の時刻が記録されており、同一のビデオカセット４０で同一の時刻の区間データ７１１〜７１Ｎがあれば、Ｓ２２でこれをユーザ使用領域６０にロードする。
【００５６】
このように識別コードシール４０１を読み取るようにすれば、すでに記録されたビデオカセット４０を再生するだけのユーザであっても、ビデオカセット４０のテープの現在位置を識別することができる。一方、インデックス信号４２は、予めビデオカセット４０のテープ上に記録されていなければならないのが前提であるから、すでに記録されたビデオカセット４０を再生するだけのユーザには役に立たない場合もある。また、インデックス信号４２は、他のビデオデッキで録画したテープと必ずしも互換性があるとはいえない場合もある。この実施例ではこれらの不具合を解消できる。
【００５７】
なお、図５で示した識別コードシール４０１は、ＩＣタグやカードメモリ等で構成され、ハードディスクレコーダ１がこれらのいずれかを読み取るための読み取り部を備えても良い。また、識別コードシール４０１は、ビデオカセット４０の機能を害しなければ、ビデオカセット４０のいずれの位置に貼り付けても良い。
【００５８】
さらに、ビデオカセット４０と、ビデオカセット４０の現在のテープ位置を識別するための別の実施例について、説明する。インデックス信号４２の代わりに、ビデオカセット４０のテープ位置をビデオカセット４０の巻頭に巻き戻すようユーザを誘導する表示を表示部１０に出力して、この巻頭の位置を基準に、このビデオカセット４０のテープ位置をハードディスクレコーダ１本体に認識させる構成でも良い。この場合、信号処理部５には、所定時間毎、または音声入力方式がステレオ、モノラル間で変わるとき、またはハードディスクレコーダ１の使用者がビデオカセット４０のコンテンツにインデックスを付した場合に、ビデオカセットドライブ４は、ＶＩＣＳ信号４２の代わりに区間情報を出力する。この構成では、このビデオカセットの識別情報を最初のビデオカセット４０のマウント時に入力すると共に、以後のマウント時にはこのビデオカセットの識別情報を手動でユーザに選択させる必要がある。
【図面の簡単な説明】
【００５９】
【図１】本実施形態のハードディスクレコーダの構成図
【図２】操作部によりビデオカセットの再生が指示されたときに制御部が行う処理のフロー図
【図３】操作部からビデオカセットのコンテンツをＨＤにダビングする指示を受けた場合に、制御部が行う処理のフロー図
【図４】図３の処理のサブフロー図
【図５】ビデオカセットを識別するための識別用コードを貼り付けたビデオカセットの図
【符号の説明】
【００６０】
１−ハードディスクレコーダ、  ４−ビデオカセットドライブ
４０−ビデオカセット、  ４０１−識別コードシール
４１−映像音声信号、  ４２−インデックス信号
５−信号処理部、  ５１−映像音声信号、  ５２−インデックス信号
６−ハードディスクドライブ（ＨＤＤ）、  ７−ハードディスク（ＨＤ）
７０−ユーザ使用領域、  ７１−自動バックアップ領域
７１１〜７１Ｎ−区間データ、  ８−制御部、  ９−操作部
１０−表示部、  １１−記憶部
【図１】
2007280480.tif 000003
【図２】
2007280480.tif 000004
【図３】
2007280480.tif 000005
【図４】
2007280480.tif 000006
【図５】
2007280480.tif 000007